(57)【特許請求の範囲】
【請求項１】
停電時に予備電力源から電力供給を受けて貯蔵室を冷却する冷蔵庫であって、
前記貯蔵室は、ダンパを介して連通する冷気通路及び冷気流路のうちの前記冷気通路と連通する冷凍室と、前記冷気流路と連通する冷蔵室と、を有し、
前記冷気通路に蒸発器が設けられており、
通常運転時の運転条件で運転する通常運転と、前記通常運転よりも消費電力が少ない運転条件で運転する停電運転とを切り替えることができ、
停電発生後に所定時間経過するまでは前記通常運転を維持するとともに前記所定時間経過後に停電が継続しているときは前記停電運転に移行し、
前記停電運転は、前記ダンパを閉に設定する運転モードを有する冷蔵庫。
【請求項２】
前記通常運転時もしくは停電運転時に使用者によって停電運転時の運転条件を変更可能である請求項１に記載の冷蔵庫。
【請求項３】
前記停電運転は消費電力が異なる複数の停電運転モードを含んでおり、
前記所定時間経過後には経過時間に応じて消費電力が少ない停電運転モードに移行する請求項１又は請求項２に記載の冷蔵庫。
【請求項４】
前記停電運転時には、前記冷蔵室の冷却を停止する請求項１から請求項３のいずれかに記載の冷蔵庫。
【請求項５】
前記停電運転は、前記冷凍室を前記冷蔵室と同じ温度に設定して運転する運転モードを有する請求項１から請求項４のいずれかに記載の冷蔵庫。
【発明の詳細な説明】
【技術分野】
【０００１】
本発明は、停電時に予備電力源から電力供給を受ける冷蔵庫に関するものである。
【背景技術】
【０００２】
通常、冷蔵庫は、電力会社の送電網（以下、商用電力系統とする）から電力供給を受けて駆動している。近年、地震や台風等の災害等による停電に備えて商用電力系統とは別系統に蓄電池等の予備電源が接続された予備電源系統を有する電力供給システムが増えてきている。このような電力供給システムでは、前記予備電源の容量に上限があるため、重要度が高い機器に優先して電力が供給される系統（優先系統）を備えている。前記電力供給システムの下では、前記冷蔵庫は停電時に予備電源系統から電力の供給を受ける優先系統に接続される。
【０００３】
前記電力供給システムの下で使用される冷蔵庫として、特許文献１に示すものがある。この冷蔵庫は、電力供給システムの停電監視手段と通信可能であり、停電監視手段から停電の情報を取得すると、通常運転時よりも消費電力が少ない低消費電力モードに移行する。２４時間駆動が必要な前記冷蔵庫を、低消費電力モードに切り替えることで、蓄電池のみで電力供給が可能な期間を延ばすことが可能である。
【０００４】
また、引用文献２には、冷蔵庫の低消費電力モード（非常運転モード）として、設定温度を高くするもの、冷却室を限定（例えば一部の冷却室の冷却を停止）するもの、製氷室の氷を冷却に利用するもの、庫内の冷却に直接利用しないデバイスを停止するものが開示されている。
【０００５】
以上のような冷蔵庫を用いることで、長期間、外部よりも低温の空間（冷却できる空間）を確保することができる。
【先行技術文献】
【特許文献】
【０００６】
【特許文献１】特開２００３−２４４８６６号公報（段落００２１）
【特許文献２】特開２０１５−６０１４号公報（段落００３７〜００３９）
【発明の概要】
【発明が解決しようとする課題】
【０００７】
しかしながら、上記従来の冷蔵庫によると、停電とともに低消費電力モード（非常運転モード）に移行するため、通常運転が可能な程度の短期間の停電でも、庫内温度が上昇してしまって、食品や薬品等の内部で保存している物品の劣化が進んでしまう恐れがある。
【０００８】
そこで本発明は、停電時に蓄電池等の予備電力源から電力供給を受ける冷蔵庫であって、短期間の停電では冷蔵庫の庫内の貯蔵物の劣化を抑制し、長期間の停電時には庫内の低温を長期間維持できる冷蔵庫を提供することを目的とする。
【課題を解決するための手段】
【０００９】
上記目的を達成するために本発明は、停電時に予備電力源から電力供給を受けて貯蔵室を冷却する冷蔵庫であって、通常運転時の運転条件で運転する通常運転と、前記通常運転よりも消費電力が少ない運転条件で運転する停電運転とを切り替えることができ、停電発生後に所定時間経過するまでは前記通常運転を維持するとともに前記所定時間経過後に停電が継続しているときは前記停電運転に移行する冷蔵庫を提供する。
【００１０】
この構成によると、停電発生直後から一定時間経過するまで、通常運転を行うので、短期間（例えば、１日以内）の停電の場合に内部に貯蔵している物品が劣化するのを抑制することが可能である。また、一定時間経過することで、通常運転よりも消費電力が少ない停電運転に移行するので、消費電力を抑えて予備電力源の消耗を低減し、貯蔵室を低温に維持可能な期間を延ばすことができる。
【００１１】
これにより、例えば災害が発生したときのように、停電の復旧の目途が立たず、支援を受けられるかどうかわからない状況であっても、食品を長期間保存でき、使用者の不安感を少なくすることができる。
【００１２】
上記構成において、前記運転条件に前記貯蔵室の温度条件を含み、前記停電運転時の温度条件が前記通常運転時の温度条件よりも高い温度であってもよい。
【００１３】
上記構成において、前記停電運転時に使用者によって運転条件を変更可能であってもよい。
【００１４】
上記構成において、前記停電運転は消費電力が異なる複数の停電運転モードを含んでおり、前記所定時間経過後には経過時間に応じて消費電力が少ない停電運転モードに移行するようにしてもよい。
【００１５】
上記構成において、前記停電運転は消費電力が異なる複数の停電運転モードを含んでおり、前記停電運転時に前記複数の停電運転モードを使用者が自由に選択し、選択された停電運転モードで運転するようにしてもよい。
【００１６】
上記構成において、複数の貯蔵室が設けられているとともに前記停電運転時には、少なくとも一つの貯蔵室の冷却を停止するようにしてもよい。
【００１７】
上記構成において、前記複数の貯蔵室は、冷蔵室と、前記冷蔵室よりも低温の冷凍室が設けられており、前記停電運転時に前記冷凍室を前記冷蔵室と同じ温度に設定して運転するようにしてもよい。
【００１８】
上記構成において、前記予備電力源の残容量の情報を取得するとともに内部状態を検出し、前記予備電力源の残容量と前記内部状態から継続運転可能時間を計算し、前記継続運転可能時間を使用者に通知するようにしてもよい。
【００１９】
上記構成において、前記内部状態は、内部の温度検出を継続しその結果より取得した収納量を含んでいてもよい。
【００２０】
上記構成において、氷を収納する氷収納部を備えており、前記氷収納部は、少なくとも停電運転時に冷気回路の上流に配置されていてもよい。
【発明の効果】
【００２１】
本発明によると、停電時に蓄電池等の予備電力源から電力供給を受ける冷蔵庫であって、短期間の停電では冷蔵庫の庫内の貯蔵物の劣化を抑制し、長期間の停電時には庫内の低温を長期間維持できる冷蔵庫を提供することができる。
【図面の簡単な説明】
【００２２】
【図１】本発明にかかる冷蔵庫が接続される蓄電池を備えた電力供給システムの一例のブロック図である。
【図２】本発明にかかる冷蔵庫の一例の正面から見た断面図である。
【図３】図２に示すIII-III線で切断した断面図である。
【図４】図２に示すIV-IV線で切断した断面図である。
【図５】図２に示す冷蔵庫の構成を示すブロック図である。
【図６】通常運転時と停電運転時の各運転条件を示す表である。
【図７】通常運転時の各貯蔵室の温度設定を示す図である。
【図８】停電運転時の各貯蔵室の温度設定を示す図である。
【図９】本発明にかかる冷蔵庫の運転を示すフローチャートである。
【図１０】本発明にかかる冷蔵庫の停電運転時の運転条件を示す表である。
【図１１】第１停電運転モード時の各貯蔵室の温度設定を示す図である。
【図１２】第２停電運転モード時の各貯蔵室の温度設定を示す図である。
【図１３】停電運転時のモード切替のタイミングを示す図である。
【図１４】本発明にかかる冷蔵庫のブロック図である。
【図１５】発明にかかる冷蔵庫の表示部の表示内容を示す図である。
【発明を実施するための形態】
【００２３】
以下に本発明の実施形態について図面を参照して説明する。
【００２４】
図１は本発明にかかる冷蔵庫が接続される蓄電池を備えた電力供給システムの一例のブロック図である。図１に示すように電力供給システムＰＳは、給電制御部ＰＰと、予備電源系統ＢＳと、負荷系統ＬＳとを備えている。電力供給システムＰＳは、商用電力系統ＣＳから電力の供給を受けている。ここで、商用電力系統ＣＳとは、電力会社等の電力供給家による電力供給網のことである。
【００２５】
負荷系統ＬＳは電気機器が接続される系統である。本発明にかかる冷蔵庫Ｒｆは、負荷系統ＬＳに接続され、負荷系統ＬＳから電力供給を受ける。また、負荷系統ＬＳには冷蔵庫Ｒｆ以外の機器（例えば、照明、テレビ、洗濯機等、いずれも不図示）も接続される。
【００２６】
予備電源系統ＢＳは、予備電力源である蓄電池ＢＳ１と、パワーコンディショナーＢＳ２とを含んでいる。予備電源系統ＢＳは、商用電力系統ＣＳからの電力で蓄電池ＢＳ１を充電し、蓄電池ＢＳ１からの放電電力で必要に応じて負荷系統ＬＳに電力を供給する。なお、蓄電池ＢＳ１としては、据え置き型の蓄電池、可搬型の蓄電地としてもよい。可搬型の蓄電地としては、電気自動車、ハイブリッドカー等に搭載されたバッテリーを挙げることができる。
【００２７】
また、予備電源系統ＢＳとして、太陽光、風力、燃料電池等の発電装置を接続し、蓄電池ＢＳ１を充電しつつ利用するようにしてもよい。また、上述の発電装置が発電可能である（例えば、太陽光の場合日照がある）場合、発電装置からの電力も負荷系統ＬＳに供給されるようになっていてもよい。
【００２８】
パワーコンディショナーＢＳ２は、給電制御部ＰＰと接続されており、商用電力系統ＣＳから供給される電力で蓄電池ＢＳ１を充電するときには、交流を直流に、蓄電池ＢＳ１から負荷系統ＬＳに電力を供給するときには、直流を交流に変換する。
【００２９】
給電制御部ＰＰは、商用電力系統ＣＳからの電力を予備電源系統ＢＳ及び負荷系統ＬＳに供給する又は負荷系統ＬＳのみに供給する分電盤の機能を備えている。また、給電制御部ＰＰは商用電力系統ＣＳからの電力が途絶えた時（停電時）に予備電源系統ＢＳから負荷系統ＬＳに電力を供給する分電盤の機能も備えている。そのため、給電制御部ＰＰは、商用電力系統ＣＳからの電力供給を監視するとともに、蓄電池ＢＳ１の蓄電残量を取得している。
【００３０】
また、給電制御部ＰＰは、負荷系統ＬＳに接続された機器のうち、通信機能を有する機器と通信が可能な構成を有している。この通信方法としては、例えば、無線、電力線を介した通信等、従来周知の方法が用いられている。本発明にかかる冷蔵庫Ｒｆは、給電制御部ＰＰと通信を行っており、給電制御部ＰＰは、商用電力系統ＣＳからの電力供給が停止した（すなわち停電開始した）ときには停電の情報（例えば、停電信号）を送信する。また、商用電力系統ＣＳからの電力供給が復旧したときには復旧の情報（例えば、復旧信号）を送信する。
【００３１】
なお、予備電源系統ＢＳから負荷系統ＬＳへの電力供給は、停電時としているが、これに限定されるものではない。例えば、商用電力系統ＣＳへの需要が低い時間（例えば、深夜）に蓄電池ＢＳ１を充電し、需要が高い時間（例えば、昼間）に商用電力系統ＣＳからの電力を補うように予備電力系統ＢＳから電力供給を行う、いわゆる、ピークカット運転を行う場合もある。
【００３２】
（第１実施形態）
次に、本発明にかかる冷蔵庫について図面を参照して説明する。図２は本発明にかかる冷蔵庫の一例の正面から見た断面図であり、図３は図２に示すIII-III線で切断した断面図であり、図４は図２に示すIV-IV線で切断した断面図である。なお、以下の説明では、図２の位置を基準として説明することとし、右又は左という場合、図２の状態を基準とするものとする。
【００３３】
冷蔵庫Ｒｆは発泡断熱材を充填した断熱箱体１００を有している。冷蔵庫Ｒｆは、断熱箱体１００の内部を仕切壁で仕切って複数個の貯蔵室を備えている。断熱箱体１００の内部を上下に分割する仕切壁１０１が上下方向の中間部分に設けられている。また、下部の空間の内部を上下に分割する仕切壁１０２が設けられている。そして、仕切壁１０２で仕切られた上部の空間を左右に分割する仕切壁１０３が設けられている。さらに仕切壁１０３で仕切られた左側の空間を上下に分割する仕切壁１０４が設けられている。
【００３４】
冷蔵庫Ｒｆの複数の貯蔵室のうち、仕切壁１０１の上方に形成された貯蔵室が冷蔵室１である。仕切壁１０２の下方に形成された貯蔵室が下段冷凍室２である。仕切壁１０３で仕切られた左側の空間の下段の貯蔵室が上段冷凍室３であり、上段の貯蔵室が製氷室４（氷収容部）である。さらに、上段冷凍室３及び製氷室４の右側の貯蔵室が野菜室５である。
【００３５】
なお、冷蔵室、下段冷凍室、上段冷凍室、製氷室及び野菜室は必ずこの順番である必要はなく、使用頻度、貯蔵物の量等に合わせて変更することが可能であってもよい。また、これらの貯蔵室以外の温度で貯蔵物を貯蔵する貯蔵室を備えていてもよい。
【００３６】
下段冷凍室２及び上段冷凍室３は貯蔵物を冷凍保存する（例えば、−１８℃で保存する）ための貯蔵室である。製氷室４は不図示の製氷装置で製造された氷を貯蔵しておく貯蔵室であり、下段冷凍室２及び上段冷凍室３と同じ温度に維持される。
【００３７】
図３に示すように、仕切壁１０２には、下段冷凍室２と上段冷凍室３とが連通するように開口１０５が設けられている。また、同様に仕切壁１０４には、上段冷凍室３と製氷室４とが連通するように開口１０６が設けられている。冷蔵庫Ｒｆにおいて、下段冷凍室２、上段冷凍室３及び製氷室４は１つのまとまった断熱領域となっている。
【００３８】
そして、冷蔵室１は貯蔵物を下段冷凍室２及び上段冷凍室３よりも高い温度（例えば、３℃〜５℃）で冷蔵保存し、野菜室５は冷蔵室３よりも高い温度（例えば、７℃〜８℃）に維持して野菜等の貯蔵物を冷蔵保存する。なお、各貯蔵室の温度はこれに限定されるものではなく、各貯蔵室に貯蔵される物品の劣化を抑制できる温度に設定される。また、使用者が必要に応じて或いは好みに合わせて温度設定できるようになっていてもよい。
【００３９】
冷蔵室１は左右端でそれぞれ枢支された観音開きの一対の扉１１により開閉される。そして、冷蔵室１には、空間を上下に仕切るための複数個の棚１２が設けられているとともに、扉１１の内側には複数個のポケット１３が設けられており、調味料、飲料等の転倒しやすい物品を貯蔵できるようになっている。
【００４０】
下段冷凍室２、上段冷凍室３、製氷室４及び野菜室５はそれぞれ収納ケース２２、３２、４２、５２と一体に形成される引出式の扉２１、３１、４１、５１によって開閉される。なお、下段冷凍室２には、収納ケース２２の上部に収納ケース２２に対して摺動可能に配置された摺動ケース２３が設けられている。
【００４１】
冷蔵庫Ｒｆは、ダンパ７１を介して連通する冷気通路６及び冷気流路７を備えている。冷気通路６は下段冷凍室２、上段冷凍室３及び製氷室４の背面に設けられている。また、冷気流路７は冷蔵室１の背面側に設けられている。
【００４２】
冷気通路６及び冷気流路７にはそれぞれ冷気を循環させる冷凍室ファン６１、冷蔵室ファン７２が配されている。冷凍室ファン６１の下方には冷気を発生する蒸発器６２が配されている。蒸発器６２の下方には蒸発器６２に付着した霜を取り除く（除霜する）ための除霜ヒータ６３が配されている。
【００４３】
冷気通路６は、下段冷凍室２、上段冷凍室３及び製氷室４それぞれに冷気を吐出する開口である吐出口６０１、６０２及び６０３と、下段冷凍室２から冷気通路６に冷気が戻る開口である戻り口６０４とを備えている。吐出口６０１、６０２及び６０３された冷気は、それぞれ、下段冷凍室２、上段冷凍室３及び製氷室４を冷却し、戻り口６０４から冷気通路６に戻る。
【００４４】
なお、下段冷凍室２、上段冷凍室３及び製氷室４は１つのまとまった断熱領域であるため、吐出口６０３のみを備えており、冷気が製氷室４に吹付けるようにしてもよい。このようにすることで、吐出口６０３から吐出された冷気が製氷室４、上段冷凍室３、下段冷凍室２の順に流れて、戻り口６０４から冷気通路６に冷気を戻すことができ、下段冷凍室２、上段冷凍室３及び製氷室４を効率よく冷却することができる。また、製氷室４が冷気流路の上流に設けられているため、停電時に製氷室４に貯蔵されている氷で上段冷凍室３及び下段冷凍室２を冷却することも可能であるため、低温状態を維持することが可能である。
【００４５】
冷気流路７は、冷気を冷蔵室に吐出する開口である複数の吐出口７０１を備えている。複数の吐出口７０１は冷蔵室１の棚で仕切られたそれぞれの段に冷気を吐出するように４カ所備えられている。仕切壁１０１には、冷蔵室１と野菜室５とを連通する連通路７０２が設けられている。なお、冷気は冷蔵室１を流動するときに貯蔵物から熱を奪うため昇温される。そして、その昇温された冷気が連通路７０２から野菜室５に流入する。そのため、野菜室５は冷蔵室１よりも高温に維持される。野菜室５を流動した冷気は、戻り口７０３を介して冷気流路６に戻る。戻り口７０３は、野菜室５の下側及び背面側に設けられている。
【００４６】
下段冷凍室２の背面の冷気通路６の下方には機械室１０が設けられており、機械室１０の内部には冷凍サイクルを運転する圧縮機１４が設置されている。圧縮機１４の駆動によって冷媒配管（不図示）内を冷媒が流通し、冷媒配管を介して圧縮機１４と接続された蒸発器６２が低温になる。
【００４７】
蒸発器６２では、熱交換を行う度に空気中の水分が結露しさらに凍結した霜としてフィンに付着する。霜が付着すると空気が流れにくくなるため、熱交換ができなくなり、冷却効率が低下する。そこで、蒸発器６２の下方には、蒸発器６２に付着した霜を取り除く（除霜する）ための除霜ヒータ６３が配されている。除霜ヒータ６３の上面はヒータカバー６３１に覆われている。ヒータカバー６３１によって、除霜水が除霜ヒータ６３上に滴下することによる除霜ヒータ６３の故障、破損等を抑制する。
【００４８】
次に冷蔵庫Ｒｆの電気的な構成について説明する。図５は図２に示す冷蔵庫の構成を示すブロック図である。図５に示すように、冷蔵庫Ｒｆは各部の動作を制御する制御部２００を備えている。制御部２００には、圧縮機１４、冷凍室ファン６１、冷蔵室ファン７２、ダンパ７１、除霜ヒータ６３、冷凍室温度センサＳ１、冷蔵室温度センサＳ２、操作部Ｉｐ及び通信部Ｎｗが接続されている。そして、制御部２００は、計時部２０１と、記憶部２０２とを備えている。
【００４９】
なお、圧縮機１４、冷凍室ファン６１、冷蔵室ファン７２、ダンパ７１及び除霜ヒータ６３は制御部２００からの制御信号によって動作するものである。また、冷凍室温度センサＳ１、冷蔵室温度センサＳ２及び操作部Ｉｐは、制御部２００に対して信号を入力するものである。また、通信部Ｎｗは、制御部２００と信号の送受信を行う。
【００５０】
冷凍室温度センサＳ１は下段冷凍室２の内部の温度を検知して温度信号を生成し、制御部２００に送る。冷蔵室温度センサＳ２は、冷蔵室１の内部の温度を検知して温度信号を生成し、制御部２００に送る。なお、冷凍室温度センサＳ１及び冷蔵室温度センサＳ２は、温度を検知するセンサであり、例えば、サーミスタを用いたものを挙げることができるがこれに限定されない。なお、冷凍室温度センサＳ１は、下段冷凍室２と同じ設定温度の上段冷凍室３或いは製氷室４の温度を検知するようにしてもよい。
【００５１】
圧縮機１４は、制御部２００により回転数が可変制御（例えば、インバータ制御）される。操作部Ｉｐは冷蔵室１の扉１１又は冷蔵室１の内面に設けられており、冷蔵室１、下段冷凍室２、上段冷凍室３、製氷室４及び野菜室５の条件設定（例えば、温度）を行う。なお、操作部Ｉｐは、ノッチ等で段階的に温度設定できる構成であってもよいし、複数個のスイッチで操作を行うような構成であってもよい。また、操作部Ｉｐは、現在の冷蔵庫Ｒｆの状態（例えば、現在の温度や温度設定）を表示する表示部を備えるとともに、タッチセンサを用いたタッチパネルで操作入力を行う構成であってもよい。
【００５２】
通信部Ｎｗは、電力供給システムＰＳの給電制御部ＰＰと情報の送受信を行う。給電制御部ＰＰから受信する情報としては、停電開始／終了の情報、蓄電池ＢＳ１の蓄電残量を挙げることができる。
【００５３】
計時部２０１は、任意の時点からの経過時間を計測する。記憶部２０２は制御部２に送られてきた情報、制御部２００で処理した情報、予め制御部２００に与えられている情報等の情報を記憶するメモリである。なお、計時部２０１及び記憶部２０２は制御部２００に一体に形成されているが、これに限定されるものではなく、制御部２００と独立して設けられるとともに、制御部２００が自由にアクセスできる構成であってもよい。
【００５４】
次に冷蔵庫Ｒｆの動作について説明する。上述したように、冷蔵室１、下段冷凍室２、上段冷凍室３、製氷室４及び野菜室５の各貯蔵室には、貯蔵物を冷却するときの適切な温度域がある。そして、各貯蔵室がそれぞれ適切な温度となるような運転を行う。この運転を通常運転とする。なお、冷蔵庫Ｒｆは商用電力系統ＣＳから電力供給されているとき、すなわち、非停電のときに通常運転を行う。
【００５５】
また、商用電力系統ＣＳからの電力供給が停止されたとき、すなわち、停電のとき、冷蔵庫Ｒｆは、蓄電池ＢＳ１からの電力供給による運転期間を延ばすことができるように、消費電力を抑えた停電運転を行う。
【００５６】
なお、冷蔵庫Ｒｆでは、通常使用時たとえば商用電力系統ＣＳから電力供給を受けているとき（非停電時）に、消費電力を抑えることができる節電運転が行われることがある。
【００５７】
節電運転は、非停電時に稼働する運転であり、冷蔵庫Ｒｆの利便性を損なわない範囲、例えば、食品の適正保存温度を逸脱しない範囲で庫内温度の調整等を行うことで消費電力を通常運転よりも低減する運転である。節電運転は使用者の設定に基づいて或いは扉開閉の頻度が著しく少ない等の条件に基づいて、通常運転から切り替わるようになっている。
【００５８】
一方、停電運転は、停電時にだけ稼働する運転であり、冷蔵庫の利便性を一部損なう可能性のある範囲まで庫内の温度を調節することなどにより消費電力を節電運転よりもさらに低減する運転である。冷蔵庫Ｒｆでは、通常使用時（非停電時）に自動的に停電運転することは原則として（例えば、使用者の指示がある場合を除いて）ない。すなわち、停電運転は節電運転とは異なる。
【００５９】
次に通常運転と停電運転について説明する。図６は通常運転時と停電運転時の各運転条件を示す表である。また、図７は通常運転時の各貯蔵室の温度設定を示す図であり、図８は停電運転時の各貯蔵室の温度設定を示す図である。図６に示す表では、運転条件として、冷凍室温度、冷蔵室温度、ダンパ動作切り替えを示している。なお、図６に示す表は運転条件の一例であり、これに限定されるものではない。また、下段冷凍室２、上段冷凍室３及び製氷室４は同じ断熱領域内にある貯蔵室であるのでまとめて冷凍室としている。
【００６０】
図６に示すように、通常運転時には、冷凍室は第１冷凍温度Ｆｒ１に設定される。また、ダンパ７１の開閉を許可しており、冷蔵室の温度調整が可能でその温度は第１冷蔵温度Ｆｃ１に設定される。第１冷凍温度Ｆｒ１は貯蔵物を冷凍して長期間保存できる温度であり例えば、−１８℃以下を挙げることができる。同様に冷蔵室は貯蔵物を低温貯蔵して長期間保存できる温度であり、例えば、４℃以下を挙げることができる。なお、冷蔵室は貯蔵物を冷凍しないようにするため、０℃以上とすることができる。
【００６１】
図７に示すように通常運転時には、下段冷凍室２、上段冷凍室３及び製氷室４は第１冷凍温度Ｆｒ１となるように調整される。また、冷蔵室１は第１冷蔵温度Ｆｃ１となるように調整され、野菜室５は第１冷蔵温度Ｆｃ１よりも高い第１野菜室温度Ｆｖ１（例えば、７℃）となるように調整される。
【００６２】
停電、すなわち、商用電力系統ＣＳからの電力供給が停止する原因としては、送電線の不具合や送電装置の故障等の比較的早い復旧が見込めるものと、地震、台風、土砂崩れ、雪崩等による送電停止といった復旧の見通しが立ちにくいものとがある。冷蔵庫Ｒｆの停電モードは後者の復旧の見通しが立ちにくいときに、外気よりも低温の貯蔵室を長期間に渡って維持するための運転条件となっている。
【００６３】
また、図６に示すように、停電運転時には、消費電力を抑えるため、冷凍室は第１冷蔵温度Ｆｃ１に設定される。また、ダンパ７１が常時閉に設定され、冷蔵室（及び野菜室）の温度設定は不可となる。
【００６４】
図８に示すように、停電運転時には、下段冷凍室２、上段冷凍室３及び製氷室４が第１冷蔵温度Ｆｃ１となるように調整される。また、冷蔵室１及び野菜室５は温度調整がされない、すなわち、設定温度なしの状態になる。この場合、冷蔵室１及び野菜室５は断熱体で囲まれた空間であるため、徐々に温度が上昇し、その後外部の温度と同じ温度になる。
【００６５】
このように、停電運転時には、下段冷凍室２、上段冷凍室３及び製氷室４の設定温度を第１冷蔵温度Ｆｃ１にし、冷蔵室１及び野菜室５の冷却を停止することで、冷却装置（圧縮機１４）で消費される電力を減らすことが可能である。また、長期間の停電が発生するような状態の場合、地震や台風等の災害で外部との連絡が途絶え、食糧等の補充が困難になる場合もある。このような場合にも、冷蔵庫Ｒｆの一部の貯蔵室（ここでは、下段冷凍室２、上段冷凍室３及び製氷室４）を第１冷蔵温度Ｆｃ１に設定することで、停電時にも食品を長期保存できる。これにより、食糧等の補充ができない場合でも、食品を確保できる。
【００６６】
次に本発明にかかる冷蔵庫の通常運転と停電運転とを切り替える制御について説明する。図９は本発明にかかる冷蔵庫の運転を示すフローチャートである。図１に示すように、冷蔵庫Ｒｆは給電制御部ＰＰと電力線で接続されており、電力線を流れる電力に信号を重畳した通信（ＰＬＣ：Ｐｏｗｅｒ Ｌｉｎｅ Ｃｏｍｍｕｎｉｃａｔｉｏｎ）が可能な構成を有している。そして、商用電力系統ＣＳからの電力供給が停止されると、給電制御部ＰＰは停電を検出するとともに停電信号を生成して冷蔵庫Ｒｆに送る。
【００６７】
冷蔵庫Ｒｆの制御部２００は、通信部Ｎｗを介して停電信号を受信しているか確認し（ステップＳ１０１）、停電信号を受信していない場合（ステップＳ１０１でＮｏの場合）、通常運転状態のまま待機する。通信部Ｎｗを介して停電信号を受信した場合（ステップＳ１０１でＹｅｓの場合）、制御部２００は計時部２０１を利用して停電開始からの時間のカウントを開始する（ステップＳ１０２）。
【００６８】
給電制御部ＰＰは商用電力系統ＣＳからの電力供給が復旧すると、商用電力系統ＣＳからの電力供給の復旧を伝えるために復旧信号を送信する。そのため、制御部２００は、通信部Ｎｗを介して復旧信号を受信したか、すなわち、停電が終了したか否か確認する（ステップＳ１０３）。商用電力系統ＣＳからの電力供給が復旧した、すなわち、停電が終了した場合（ステップＳ１０３でＹｅｓの場合）、現在、停電運転中であるか否か確認する（ステップＳ１０４）。停電運転中の場合（ステップＳ１０４でＹｅｓの場合）、制御部２００は通常運転に切り替える（ステップＳ１０５）。そして、停電運転中ではない場合（ステップＳ１０４でＮｏの場合）又は通常運転に切り替えた（ステップＳ１０５）後、停電の検出（ステップＳ１０１）に戻る。
【００６９】
また、時間カウントを開始した後、商用電力系統ＣＳからの電力供給が復旧していない、すなわち、停電が終了していない場合（ステップＳ１０３でＮｏの場合）、制御部２００は停電開始から一定時間経過したか確認する（ステップＳ１０６）。停電開始から一定時間経過していない場合（ステップＳ１０６でＮｏの場合）、ステップＳ１０３に戻る。停電開始から一定時間経過した場合（ステップＳ１０６でＹｅｓの場合）、制御部２００は停電運転に切り替える（ステップＳ１０７）。
【００７０】
制御部２００は、通信部Ｎｗを介して復旧信号を受信したか、すなわち、停電が終了したか否か確認する（ステップＳ１０８）。通信部Ｎｗを介して復旧信号を受信していない、すなわち、停電が継続している場合（ステップＳ１０８でＮｏの場合）、制御部２００は、復旧信号の受信の確認を継続する。通信部Ｎｗを介して復旧信号を受信した場合、すなわち、停電が終了した場合（ステップＳ１０８でＹｅｓの場合）、制御部２００は通常運転に切り替えて（ステップＳ１０５）、停電の検出（ステップＳ１０１）に戻る。
【００７１】
本発明にかかる冷蔵庫Ｒｆは、上述のような運転を行うことで、停電開始から一定時間経過するまでは、通常運転（図７に示す）を行う。このように、停電開始から一定時間経過するまで通常運転を行うことで、停電が短時間（例えば、数分から数時間）の場合には、貯蔵室の温度が上昇する停電運転を行わないので各貯蔵室内の貯蔵物の劣化を抑制することができる。また、一定時間を越えても停電が続く場合、低温に維持する貯蔵室を限定し、すなわち、冷却する熱容量を減らすとともに、設定温度を高い温度に設定するため、消費電力を低減することができるため、貯蔵室を低温に維持できる期間を延ばすことができる。
【００７２】
また、使用者は、停電の原因（例えば、災害等を把握している場合が多く、すぐに復旧できる停電か、復旧の見通しが立ちにくい停電か判断することができる。見通しが立たない場合には、冷蔵室１や野菜室５に冷蔵保存されている食品を優先的に消費する。これにより、冷蔵室１及び野菜室５の冷却が停止したときには冷蔵室１及び野菜室５に貯蔵する物品が少なくなり冷凍室（下段冷凍室２、上段冷凍室３及び製氷室４）の容量でも貯蔵できる量となる。これにより、冷蔵庫の内部に貯蔵している物品を無駄にするのを抑制することができる。また、短期間で復旧する停電の場合、通常運転を継続するので、停電開始とともに停電運転を行ったときに発生する貯蔵物の劣化を抑制することができる。
【００７３】
以上に示した冷蔵庫Ｒｆを用いることで、例えば災害が発生したときのように、停電の復旧の目途が立たず、支援を受けられるかどうかわからない状況であっても、食品を長期間保存でき、使用者の不安感を少なくすることができる。また、短期間の停電の場合、冷蔵庫Ｒｆの貯蔵室を通常と同じ温度とするため、内部の物品の劣化を抑制することが可能である。
【００７４】
また、停電運転に切り替わるまでの一定時間として、例えば、２日を挙げることができる。日本国内において、災害以外の原因による停電が２日以上続くことはほとんどないためである。また、災害で２日以上停電する場合でも、災害発生後２日経過すると、支援物資が届くことが多い。この場合でも停電が継続することがあるが、冷蔵庫Ｒｆでは支援物資の食品を低温保存することが可能である。
【００７５】
なお、本実施形態において、通常運転及び停電運転の運転条件には予め決められた温度設定が設けられていたが、いずれの温度設定も使用者が自由に決定できるようになっていてもよい。また、通常運転と停電運転とを使用者が自由に切り替えることができるようになっていてもよい。この場合は、冷蔵庫Ｒｆに通信部Ｎｗがなくても、使用者が停電を判断して冷蔵庫Ｒｆを通常運転から停電運転に切り替える態様とすることができる。
【００７６】
また、本実施形態では、冷蔵室１及び野菜室５の冷却を停止し、下段冷凍室２、上段冷凍室３及び製氷室４を冷蔵温度に設定する停電運転を行っているが、冷蔵室１を冷蔵温度に維持するとともに、下段冷凍室２、上段冷凍室３及び製氷室４の冷却を停止するようにしてもよい。しかしながら、冷蔵庫Ｒｆでは、蒸発器６２が下段冷凍室２の背面にあるため、冷蔵室１や野菜室５を冷却するよりも、下段冷凍室２、上段冷凍室３及び製氷室４の冷却を継続する方が効率がよく、冷却期間を延ばすことが可能である。
【００７７】
第１実施形態にかかる冷蔵庫Ｒｆでは、停電開始から一定時間が経過した場合は、通常運転から停電運転に切り替わるが、その際に停電運転に切り替わることを音や光等で通知するようにしてもよい。これにより、冷蔵庫Ｒｆが通常動作ではなくなることを使用者に知らしめて、貯蔵している食品の移動や消費を促すことができる。また、停電開始から一定時間以内であっても、停電中だが通常運転していることを報知することもできる。
【００７８】
また、第１実施形態にかかる冷蔵庫Ｒｆでは、停電が終了すると、自動的に停電運転から通常運転に切り替わるものとして説明しているが、これに限定されない。例えば、停電運転時には、下段冷凍室２、上段冷凍室３及び製氷室４には、第１冷蔵温度Ｆｃ１で低温保存する物品が貯蔵される。この状態で下段冷凍室２、上段冷凍室３及び製氷室４を第１冷凍温度Ｆｒ１まで冷却すると、貯蔵物によっては劣化や破損の原因になる恐れがある。
【００７９】
そのため、冷蔵庫Ｒｆでは、停電運転から通常運転に戻るときには、使用者が手動で切り替えるようにしてもよい。このとき、使用者に停電運転から通常運転に切り替えることができる、すなわち、停電が終了したことを音や光等で通知するようにしてもよい。さらには、通知後、予め決められた時間経過した後に自動で通常運転に切り替わるようにしてもよい。
【００８０】
なお、運転条件として、冷凍室の温度、冷蔵室の温度を挙げているがこれに限定されるものではなく、結露防止ヒータの動作制限、除霜ヒータの動作制限（除霜なし、除霜周期を伸ばす等）、圧縮機の回転数の制限等の条件を通常運転時と停電運転時とで切り替えるようにしてもよい。また、これら以外にも消費電力の変化に影響がある条件を切り替えるようにしてもよい。停電運転条件では、一部の貯蔵室が一定の低温を維持しつつ、可能な限り消費電力を低減できるような運転条件を広く採用することができる。
【００８１】
（第２実施形態）
本発明にかかる冷蔵庫の他の例について図面を参照して説明する。図１０は本発明にかかる冷蔵庫の停電運転時の運転条件を示す表である。また、図１１は第１停電運転モード時の各貯蔵室の温度設定を示す図であり、図１２は第２停電運転モード時の各貯蔵室の温度設定を示す図である。なお、本実施形態において、冷蔵庫Ｒｆの構成は第１実施形態の冷蔵庫Ｒｆと同じであるため、同じ符号を利用するとともに詳細な説明は省略する。
【００８２】
第１実施形態では、停電発生から一定時間経過後に、一部の貯蔵室（冷蔵室１及び野菜室５）の冷却を停止し、さらに、残りの貯蔵室（下段冷凍室２、上段冷凍室３及び製氷室４）の設定温度を冷凍保存が不可能な温度に上昇させた停電運転を行っている。このような設定の場合、通常運転と停電運転との運転条件の差が大きい。そのため、貯蔵物が貯蔵された状態で通常運転から停電運転に切り替わると、貯蔵物の劣化の原因となる。
【００８３】
そこで、本実施形態の冷蔵庫Ｒｆでは、停電運転の運転条件として複数の停電運転モードを備え、停電発生から一定時間経過後に段階を経て消費電力が少ない運転条件に切り替えるようにする。
【００８４】
図１０に示すように、停電運転時の運転条件は、第１停電運転モード、第２停電運転モード及び第３停電運転モードを備えている。第１停電運転モードは、冷凍室の設定温度を第１冷凍温度Ｆｒ１よりも高い第２冷凍温度Ｆｒ２とし、冷蔵室１の設定温度を第１冷蔵温度Ｆｃ１よりも高い第２冷蔵温度Ｆｃ２とする。
【００８５】
図１１に示すように第１停電運転モードでは、下段冷凍室２、上段冷凍室３及び製氷室４は第２冷凍温度Ｆｒ２となるように調整される。また、冷蔵室１は第２冷蔵温度Ｆｃ２となるように調整される。冷蔵室１が第２冷蔵温度Ｆｃ２に調整されるため、野菜室５は第１野菜室温度Ｆｖ１よりも高い第２野菜室温度Ｆｖ２に調整される。各貯蔵室の設定温度が通常運転時よりも高いため、消費電力を小さくすることができる。これにより、冷蔵庫Ｒｆの運転時間を延ばすことが可能である。
【００８６】
また、停電が長期化すると、第１停電運転モードでは消費電力のカットが十分でなくなる。そこで、第２停電運転モードを備えている。第２停電運転モードは、冷凍室の設定温度は第２冷凍温度Ｆｒ２のままである。また、ダンパ７１が常時閉に設定され、冷蔵室（及び野菜室）の温度設定は不可となる。
【００８７】
図１２に示すように、第２停電運転モードでは、下段冷凍室２、上段冷凍室３及び製氷室４が第２冷凍温度Ｆｒ２となるように調整される。また、冷蔵室１及び野菜室５は温度調整がされない、すなわち、設定温度なしの状態になる。この場合、冷蔵室１及び野菜室５は断熱体で囲まれた空間であるため、徐々に温度が上昇し、その後外部の温度と同じ温度になる。冷蔵庫Ｒｆでは、第２停電運転モードのとき、冷蔵室１及び野菜室５の温度調整を行わないため、第１停電運転モードに比べて消費電力が少なくなる。
【００８８】
さらに停電が長期化すると、第２停電運転モードでも消費電力のカットが十分でなくなる。そこで、第３停電運転モードを備えている。第３停電運転モードは図７に示す停電運転時の運転条件と同じであるため図示を省略する。
【００８９】
第１停電運転モード、第２停電運転モード及び第３停電運転モードの切り替えについて説明する。図１３は停電運転時のモード切替のタイミングを示す図である。
【００９０】
図１３は横軸が時間であり、縦軸が消費電力になっている。また、図１３は、停電発生時を基準、すなわち、０としている。図１３に示すように、停電発生直後、冷蔵庫Ｒｆは通常運転Ｔｑで運転される。停電発生から一定時間Ｔｐ１が経過すると、冷蔵庫Ｒｆは通常運転Ｔｑから停電運転Ｔｍに切り替わる。図１３に示すように、停電運転Ｔｍに切り替わった直後、冷蔵庫Ｒｆは第１停電運転モードＴｍ１で運転される。また、時間Ｔｐ２が経過すると、冷蔵庫Ｒｆは消費電力が第１停電運転モードＴｍ１よりも少ない第２停電運転モードＴｍ２に切り替わる。さらに、時間Ｔｐ３が経過すると、冷蔵庫Ｒｆは消費電力が第２停電モードＴｍ２よりもさらに低い第３停電モードＴｍ３で運転される。
【００９１】
このように、冷蔵庫Ｒｆの消費電力を徐々に減らすことで、貯蔵物の劣化を遅らせるとともに、内部を低温に維持できる貯蔵室を長期間確保することが可能である。
【００９２】
なお、運転条件として、冷凍室の温度、冷蔵室の温度を挙げているがこれに限定されるものではなく、結露防止ヒータの動作制限、除霜ヒータの動作制限（除霜なし、除霜周期を伸ばす等）、圧縮機の回転数の制限等の条件を替えた停電運転モードを備えていてもよい。また、これら以外にも消費電力の変化に影響がある条件を切り替えて停電運転モードとしてもよい。また、複数の停電運転モードの中に上述した、節電運転と同等の運転条件のものを含んでいてもよい。
【００９３】
（第３実施形態）
本発明にかかる冷蔵庫のさらに他の例について図面を参照して説明する。図１４は本発明にかかる冷蔵庫のブロック図である。図１４に示すように、本発明にかかる冷蔵庫Ｒｆは表示部Ｄｐを備えている以外、図５に示す冷蔵庫と同じ構成である。そのため、実質上同じ部分には同じ符号を付すとともに、同じ部分の詳細な説明は省略する。
【００９４】
電力供給システムＰＳでは、給電制御部ＰＰが蓄電池ＢＳ１の蓄電容量の情報を取得している。冷蔵庫Ｒｆの制御部２００は、蓄電容量の情報を給電制御部ＰＰから取得する。そして、制御部２００は、現在の運転状態と蓄電容量とから、冷蔵庫Ｒｆが貯蔵室を継続して冷却可能な時間（期間）を算出して、表示部Ｄｐに表示する。なお、表示部Ｄｐとして冷蔵室１の扉１１の外面に設けられた液晶表示装置やＬＥＤ表示を挙げることができるが、これに限定されるものではない。
【００９５】
このように表示部Ｄｐに冷却可能な時間を表示することで、使用者は低温保存が可能な残り期間を知ることができ、次の行動、例えば、避難、別の給電方法（例えば、蓄電池の切替）を選択する適切なタイミングを見計らうことができる。
【００９６】
冷却可能な時間の算出について説明する。冷却を継続可能な時間は、蓄電残量と現在の設定温度だけでなく、外気温、湿度、各種ヒータの駆動状態等によって左右される。そこで、制御部２００は、設定温度だけでなく、外気温、湿度、各種ヒータの駆動状態、貯蔵物の量の情報を取得しておき、これらの情報と設定温度の条件と、蓄電残量から冷却を継続可能な時間を算出する。
【００９７】
なお、これ以外の算出方法で冷却を継続可能な時間を算出してもよい。例えば、現在の運転モードにおける圧縮機１４や冷凍室ファン６１、冷蔵室ファン７２の運転時間および消費電力を計測するとともに、圧縮機１４および冷凍室ファン６１、冷蔵室ファン７２の停止時間を計測することで、平均消費電力を計算し、蓄電残量から冷却を継続可能な時間を算出してもよい。
【００９８】
さらには、これら以外の情報を加味して計算するようにしてもよい。また、貯蔵物の量については、停電発生前からの庫内温度（冷蔵室、冷凍室、野菜室の温度）を測定して記憶部２０２に蓄積しておき、その蓄積したデータから推測することが可能である。
【００９９】
（第４実施形態）
本発明にかかる冷蔵庫のさらに他の例について図面を参照して説明する。図１５は本発明にかかる冷蔵庫の表示部の表示内容を示す図である。本実施形態の冷蔵庫Ｒｆは第３実施形態の冷蔵庫と同様の構成を有しており、同様の部分には同じ符号を付すとともに同じ部分の詳細な説明は省略する。本実施形態にかかる冷蔵庫Ｒｆでは、操作部Ｉｐを利用して、停電運転開始、第１停電運転モード、第２停電運転モード及び第３停電運転モードの切り替わりのタイミングを使用者が決定できるようになっている。
【０１００】
制御部２００は通信部Ｎｗを介して停電信号を受信すると、表示部Ｄｐの表示を図１５に示すような、停電時表示Ｄｐ１に切り替える。制御部２００は、停電が発生した後の停電運転に切り替わるタイミング、停電運転での各停電運転モードの切り替えのタイミングの情報を記憶部２０２に備えている。そして、停電発生と同時に各切替のタイミングの情報を呼出す。そして、その情報に基づいて、図１５に示すような、横軸に現在からの時間とし、運転の切替或いは各停電運転モードの切替を示す停電時表示Ｄｐ１を生成して、表示部Ｄｐに表示する。
【０１０１】
図１５に示す停電時表示Ｄｐ１が停電直後の表示とする。停電時表示Ｄｐ１では、制御部２００によって決められている、停電運転、各停電運転モードの切り替わり時間を示している。停電時表示Ｄｐ１では、左端が現在の時刻である。そして、経過時間が点Ｐ１（時間Ｔｐ１）までは、通常運転Ｔｑである。そして、経過時間が点Ｐ１になると、停電運転Ｔｍに切り替わる。停電運転Ｔｍに切り替わった最初は、第１停電運転モードＴｍ１である。そして、経過時間が点Ｐ２（時間Ｔｐ２）に到達すると、停電運転モードＴｍ２に切り替わる。さらに経過時間が点Ｐ３（時間Ｔｐ３）に到達すると、停電運転モードＴｍ３に切り替わる。
【０１０２】
停電時表示Ｄｐ１では、右端に現在決められている切り替わりのタイミングで運転を切り替えたときの継続して冷却可能な時間（期間）表示Ｃｔを表示している。すなわち、、図１５において、現在の設定では、８日間継続して冷却可能であることを示している。
【０１０３】
そして、使用者は、操作部Ｉｐを使用して、各切り変わりのタイミング点Ｐ１、点Ｐ２及び点Ｐ３をずらすことが可能となっている。制御部２００はこのタイミングを変更するごとに、継続して冷却可能な時間を再計算して表示する。そして、使用者は操作部Ｉｐを使用して停電時表示Ｄｐ１で表示しているタイミングでの切替を決定することができる。制御部２００は、決定されたタイミングを記憶部２０２に記憶させるとともに、そのタイミングで運転の切替を行う。
【０１０４】
このような、表示部Ｄｐ及び操作部Ｉｐを使用する方法の一例について説明する。例えば、下段冷凍室２、上段冷凍室３に貯蔵物が無い又は略無い状態であることを使用者が知っている場合、冷凍室を冷凍温度で維持する必要が無いため、使用者は、停電発生から一定時間後すぐに下段冷凍室２や上段冷凍室３の冷却を停止する、または冷蔵温度とするように設定することが可能である。また、停電の復旧時期がわかる場合がある。例えば、第２停電運転モードTm２の期間を延ばしても、停電の復旧時期まで継続して冷却可能である場合、点Ｐ３を後ろに移動させることで、温度は高くなるが冷凍室を物品を冷凍保存可能な温度を維持することができる。
【０１０５】
このように、蓄電池Ｂｓ１からの電力で継続して冷却可能な期間の情報を使用者が取得することで、その情報に基づいて冷却庫Ｒｆの運転を制御することができるため、貯蔵物の劣化を抑制しつつ、低温の貯蔵室を伸ばすことが可能である。なお、本実施形態では、表示部Ｄｐと操作部Ｉｐを別体で示しているが、これに限定されない。例えば、タッチセンサを用いた、いわゆる、タッチパネルを用いた操作入力部を利用してもよい。また、操作部Ｉｐの操作によって表示部Ｄｐが表示されるようにしてもよい。これにより、表示部Ｄｐによる電力消費を最小限に抑えることができる。
【０１０６】
なお、上記の例では、停電後に停電時表示Ｄｐ１が表示されて各停電運転モードの切替を設定可能としているが、非停電時にも同様の表示および設定が可能とすることもできる。これにより、使用者は、非停電時つまり通常使用時に、停電運転の設定を熟考して設定することができ、災害などによる長時間停電にも対応できる停電運転の設定を使用者が理解しながら設定することができる。
【０１０７】
（第５実施形態）
本発明にかかる冷蔵庫のさらに他の例について説明する。上述の各実施形態では、冷蔵庫Ｒｆは、停電時からの時間に基づいて、運転（通常運転、停電運転、各停電運転モード）を切り替えている。この運転の切替は、予め決められたタイミングで切り替えるものや切り替えタイミングを使用者が変更可能である。
【０１０８】
このように、切替を時間で制御する場合、蓄電残量によっては、冷蔵庫Ｒｆが継続して冷却可能な時間を十分に確保できない場合がある。そこで、制御部２００は、供給制御部ＰＰから定期的に蓄電池ＢＳ１の蓄電残量を確認する。そして、蓄電残量に基づいて、運転を切り替えるようにしてもよい。なお、蓄電池ＢＳ１の蓄電残量に基づいた運転の切替は、停電運転時の各停電運転モードの切替時に適用するようにしてもよい。つまり、停電発生後、通常運転から停電運転に切り替わるタイミングは時間（予め決めた時間）で行うようにし、その後停電運転モードの切替を蓄電池ＢＳ１の蓄電残量に基づいて行うようにしてもよい。
【０１０９】
なお、冷蔵庫Ｒｆの通信部Ｎｗは給電制御部ＰＰと双方向通信が可能であるため、上述の継続して冷却可能な時間を給電制御部ＰＰに送り、給電制御部ＰＰの表示部（不図示）に表示するようにしてもよい。このとき、停電時表示Ｄｐ１も一緒に表示するようにしてもよい。さらには、給電制御部ＰＰの設けられている操作部（不図示）で操作して、冷蔵庫Ｒｆの運転切替を行うことができるようにしてもよい。
【０１１０】
さらには、通信部Ｎｗを有線又は無線でネットワークに接続可能な構成とし、同じネットワークに接続している機器、例えば、ＰＣ、タブレットＰＣ、スマートフォン等で継続して冷却可能な時間及び（又は）停電時表示Ｄｐ１を表示するようにしてもよい。また、これらの機器で行われた操作入力で冷蔵庫Ｒｆの運転切替を行うことができるようにしてもよい。
【０１１１】
上述の各実施形態で示した冷蔵庫では、全ての貯蔵室を１つの蒸発器で冷却する構成のもので説明しているが、冷蔵領域（冷蔵室１及び野菜室５）と冷凍領域（下段冷凍室２、上段冷凍室３及び製氷室４）とを独立した蒸発器で冷却する構成の冷蔵庫でも同様である。
【０１１２】
以上、本発明の実施形態について説明したが、本発明はこの内容に限定されるものではない。また本発明の実施形態は、発明の趣旨を逸脱しない限り、種々の改変を加えることが可能である。
【０１１３】
停電時に予備電力源ＢＳ１から電力供給を受けて貯蔵室を冷却する冷蔵庫であって、通常運転時の運転条件で運転する通常運転と、前記通常運転よりも消費電力が少ない運転条件で運転する停電運転とを切り替えることができ、停電発生後に所定時間経過するまでは前記通常運転を維持するとともに前記所定時間経過後に停電が継続しているときは前記停電運転に移行する。
【０１１４】
上述した冷蔵庫は、前記運転条件に前記貯蔵室の温度条件を含み、前記停電運転時の温度条件が前記通常運転時の温度条件よりも高い温度であってもよい。
【０１１５】
上述した冷蔵庫は、前記停電運転時に使用者によって運転条件を変更可能であってもよい。
【０１１６】
上述した冷蔵庫は、前記停電運転は消費電力が異なる複数の停電運転モードを含んでおり、前記所定時間経過後には経過時間に応じて消費電力が少ない停電運転モードに移行してもよい。
【０１１７】
上述の冷蔵庫は、前記停電運転は消費電力が異なる複数の停電運転モードを含んでおり、前記停電運転時に前記複数の停電運転モードを使用者が自由に選択し、選択された停電運転モードで運転してもよい。
【０１１８】
上述の冷蔵庫は、複数の貯蔵室が設けられているとともに前記停電運転時には、少なくとも一つの貯蔵室の冷却を停止してもよい。
【０１１９】
上述の冷蔵庫は、前記複数の貯蔵室は、冷蔵室と、前記冷蔵室よりも低温の冷凍室が設けられており、前記停電運転時に前記冷凍室を前記冷蔵室と同じ温度に設定して運転してもよい。
【０１２０】
上述の冷蔵庫は、前記予備電力源の残容量の情報を取得するとともに内部状態を検出し、前記予備電力源の残容量と前記内部状態から継続運転可能時間を計算し、前記継続運転可能時間を使用者に通知してもよい。
【０１２１】
上述の冷蔵庫は、前記内部状態として、内部の温度検出を継続しその結果より取得した収納量を含んでいてもよい。
【０１２２】
上述の冷蔵庫は、氷を収納する氷収納部を備えており、前記氷収納部は、少なくとも停電運転時に冷気回路の上流に配置されていてもよい。
【符号の説明】
【０１２３】
Ｒｆ  冷蔵庫
１００  断熱箱体
１  冷蔵室
１１  扉
１２  棚
１３  ポケット
１４  圧縮機
２  下段冷凍室
２１  扉
２２  収納ケース
２３  摺動ケース
２００  制御部
２０１  計時部
２０２  記憶部
３  上段冷凍室
３１  扉
３２  収納ケース
４  製氷室
４１  扉
４２  収納ケース
５  野菜室
５１  扉
５２  収納ケース
６  冷気通路
６１  冷凍室ファン
６２  蒸発器
６３  除霜ヒータ
６３１  ヒータカバー
６０１、６０２、６０３  吐出口
６０４  戻り口
７  冷気流路
７１  ダンパ
７２  冷蔵室ファン
７０１  吐出口
７０２  連通路
７０３  戻り口
ＰＳ  電力供給システム
ＰＰ  給電制御部
ＢＳ  予備電源系統
ＢＳ１  蓄電池
ＢＳ２  パワーコンディショナー
ＣＳ  商用電力系統
ＬＳ  負荷系統
Ｓ１  冷凍室温度センサ
Ｓ２  冷蔵室温度センサ
Ｉｐ  操作部
Ｎｗ  通信部
Ｄｐ  表示部
【図１】
0006563255.tif 000002
【図２】
0006563255.tif 000003
【図３】
0006563255.tif 000004
【図４】
0006563255.tif 000005
【図５】
0006563255.tif 000006
【図６】
0006563255.tif 000007
【図７】
0006563255.tif 000008
【図８】
0006563255.tif 000009
【図９】
0006563255.tif 000010
【図１０】
0006563255.tif 000011
【図１１】
0006563255.tif 000012
【図１２】
0006563255.tif 000013
【図１３】
0006563255.tif 000014
【図１４】
0006563255.tif 000015
【図１５】
0006563255.tif 000016